(57)【特許請求の範囲】
【請求項１】
気流発生手段と、該気流発生手段により発生した気流がボビンの糸層表面に沿うように制御する気流制御部材とを備えた口出し装置において、上記気流制御部材に、上記糸層表面に沿う気流を乱すための凹部を設け、該凹部に、上記糸層表面にブラスト流を与えるためのブラストノズルを設けたことを特徴とする口出し装置。
【請求項２】
気流発生手段と、該気流発生手段により発生した気流がボビンの糸層表面に沿うように制御する気流制御部材とを備えた口出し装置において、上記気流制御部材に、上記糸層表面に沿う気流を乱すための凹部を設けると共に、該凹部よりも気流上流側に上記糸層表面にブラスト流を与えるためのブラストノズルを設けたことを特徴とする口出し装置。
【発明の詳細な説明】
【０００１】
【発明の属する技術分野】
本発明は、ボビンの糸層から糸端を引き出すための口出し装置に関するものである。
【０００２】
【従来の技術】
本出願人は先に、ボビンの口出し処理を効率よく行うことのできる新規な口出し装置を開示した（特開平７−１３３０７１号公報、他）。この口出し装置は、ボビンを囲む筒体を軸方向に進退させて、気流（サクションエア）を糸層表面に沿うように制御し、この制御された気流により糸端を糸層から解離させて口出しを行うものである。この口出し装置により、コンパクトな構成で迅速に口出し処理ができることとなった。
【０００３】
【発明が解決しようとする課題】
ところで前記の開示した口出し装置においては、細番手の糸のボビンであったり、ボビンの糸層表面に毛羽絡みなどがあると、気流を糸層表面に作用させても糸端が解離されないことがある。すなわち口出しミスが生じて口出し成功率が低くなるおそれがあるという問題があった。
【０００４】
【課題を解決するための手段】
前記課題を解決すべく本発明は、気流発生手段と、該気流発生手段により発生した気流がボビンの糸層表面に沿うように制御する気流制御部材とを備えた口出し装置において、上記気流制御部材に、上記糸層表面に沿う気流を乱すための凹部を設け、該凹部に、上記糸層表面にブラスト流を与えるためのブラストノズルを設けたものである。この発明によれば、上記凹部によってボビンの糸層表面に沿う気流に半径方向の成分が生じ、糸端を糸層から解離させる力が大きくなると共に、これに加えて上記ブラストノズルから噴射されるブラストエアが、糸端を糸層から解舒させるように作用するため、口出し成功率を高めることができる。なお、上記凹部よりも気流上流側に上記ブラストノズルを配置してもよい。
【０００５】
【発明の実施の形態】
以下、本発明の実施の形態を添付図面に従って説明する。
【０００６】
図１乃至図３は、本発明にかかわる口出し装置の前提となる形態を示したものである。この口出し装置は、気流発生手段であるサクションパイプ１と、このサクションパイプ１によるサクションエアＡがボビン（リング精紡機で製造された紡績糸が芯管に巻かれた精紡ボビン）２の糸層表面３に沿うように制御する気流制御部材４とを備えて構成されており、気流制御部材４に、その糸層表面３に沿う気流ａを乱すための乱流生成部（凹部５）が設けられている。この実施の形態では、ボビン２はトレイＴに挿立された状態で、口出し用移送路６によりワインダ側へ移送されるようになっており、口出し装置は口出し用移送路６の途中のボビン停止位置（口出し位置）に設けられている。
【０００７】
サクションパイプ１は、装置本体のハウジング７の上部に水平に延びた状態で支持され、基端がサクションエアの供給源（図示せず）に接続されている。サクションパイプ１の先端は下方に屈曲され、この下端部分が、口出し位置に停止されたボビン２の上方において同軸となるように形成されている。気流制御部材４は、ボビン２の外径よりも大きな内径を有した筒体８と、筒体８の内側に取り付けられた短円筒状のアダプタ９とで成る。アダプタ９の内径は、ボビン２の糸層表面３に対して所定の隙間ｓができるように、例えば外径が40mmのボビン２に対しては、ｓ＝2.5 〜5.0mm となるような内径45〜50mmの円筒状部材として形成されている。そしてこのアダプタ９の内周壁９ａに、乱流生成部としての凹部５が形成されている。凹部５は断面略正方形の環状溝で成り、アダプタ９の高さ方向（軸方向）のほぼ中央に設けられている。
【０００８】
また筒体８の上端には蛇腹ホース１０が取り付けられている。蛇腹ホース１０とサクションパイプ１との間にはシャッターカッター１１が設けられている。このシャッターカッター１１が閉じられると、サクションエアＡが遮断され、ボビン２の糸層にサクションエアＡが作用しなくなり、逆に、シャッターカッター１１が開かれると、ボビン２の糸層にサクションエアＡが作用するようになっており、サクションパイプ１の下端部分に取り付けられた上板１２と、蛇腹ホース１０に接続した下板１３と、これら上下板１２，１３の間に設けられた固定カッター（図示せず）及びシャッターを兼ねた可動カッター１４とで構成されている。可動カッター１４にはアクチュエータ１５が設けられ、糸端Ｙがサクションパイプ１内に入ってくると閉じてこれを切断するようになっている。このシャッターカッター１１の位置は、ボビン２の頭部２ａからシャッターカッター１１までの距離が、ボビン２の長さよりも短くなるように設けられている。サクションパイプ１内の屈曲部のインコーナ側には、吸引した糸端Ｙを案内するＶ字状のガイド１６が設けられ、その糸道に臨んで口出し検出用センサ１７が設けられている。すなわちこのセンサ１７が糸端Ｙを検出したときに、アクチュエータ１５が動作して可動カッター１４を作動させるようになっている。
【０００９】
そして筒体８には、その径方向外方に延出したアーム１８が取り付けられている。アーム１８の他端は、ハウジング７の内方に延出され、その延出端には、下向きに起立して設けられたエアシリンダー１９のピストンロッド２０の先端が取り付けられている。エアシリンダー１９の近傍にはこれと平行なガイドロッド２１が設けられ、このガイドロッド２１がアーム１８に挿通されている。すなわち筒体８は、エアシリンダー１９が伸長することによりガイドロッド２１に沿って下降して、ボビン２を囲むようになっている。
【００１０】
また口出し用移送路６は、トレイＴの下面に接触する丸ベルト２２と、その丸ベルト２２の両側に沿って設けられ、トレイＴの底部両側を受けて案内する底部ガイド板２３と、トレイＴのペグ２４を規制して案内する上部ガイド板２５とで構成されている。口出し位置にはトレイＴを停止させるためのストッパ（図示せず）と、トレイＴの有無を検出するためのトレイセンサ２６とが設けられている。またその移送上流側には、ワインダで巻き返し可能なボビンか否かを判断する判別装置（図示せず）が設けられ、極少残糸付きボビン、空ボビン、空トレイは巻き返し不能と判別されて口出し処理が行われない。シャッターカッター１１のアクチュエータ１５の下方には、ボビン２から引き出された糸端Ｙを押さえる糸押えレバー２７が設けられ、アクチュエータ２８によって水平方向に揺動することでボビン２の頭部２ａに当接又は離反するようになっている。またハウジング７の下部には、同様な水平方向に揺動するボビン押えレバー２９及びアクチュエータ３０が設けられ、ボビン２にサクションエアＡが作用したときにボビン２の底部側面２ｂに当接して、ボビン２がトレイＴのペグ２４から抜けることがないようにしている。口出し位置の底部ガイド板２３の下部には、シャッターカッター１１により糸端Ｙが定長でカットされた際に、そのカットされた糸端Ｙをボビン２の軸孔３１内に引き込むための吸引管３２が設けられている。吸引管３２の上端開口は、口出し位置で停止された状態のトレイＴの下面中心に向けられるようになっている。吸引管３２の途中にはシャッター３３が設けられている。このシャッター３３は、ソレノイド（図示せず）で開閉される。口出し位置の上部ガイド板２５上には、ボビン２を挟む両側に糸吹き飛ばし用のノズル３４，３５が設けられている。各ノズル３４，３５にはボビン２に向かって斜め上方及び斜め下方にブラストエアを噴射するための噴射孔が設けられ、ボビン２から垂れ下がった糸端Ｙがあると、これをボビン押えレバー２９の押え範囲から吹き飛ばすようになっている。
【００１１】
このような構成の口出し装置によって口出しを行うに際しては、判別装置によって口出しが必要と判断されたボビン（精紡機あがりの満ボビンなど）２が、口出し用移送路６によって口出し位置まで移送されてくると、糸吹き飛ばし用のノズル３４，３５の噴射がなされ、その後にボビン押えレバー２９が作動してボビン２が押さえられる。このボビン２は、口出し位置の上流側、或いは口出し位置において、バンチ解舒機構（ノズル又はカッター）によりバンチ解舒がなさる。そしてボビン押えレバー２９の作動と同時に、アクチュエータ１５が作動してシャッターカッター１１が開き、サクションパイプ１と筒体８とが連通状態となり、ボビン２の糸層表面３に沿う上昇気流ａが生じる。すなわちシャッターカッター１１が作動した後、筒体８が下降してボビン２を囲むことで、アダプタ９との間にボビン２の糸層表面３に沿って上昇する気流ａが形成される。この気流ａによって糸端Ｙは糸層表面３から解離され、サクションパイプ１内に入る。センサー１７がこの糸端Ｙを検出すると、筒体８は上昇して原位置に戻ると共に、糸押えレバー２７が作動してボビン頭部２ａに当接し、糸端Ｙが過度に引き出されるのを防止する。これと同時に吸引管３２のシャッター３３が開いてボビン２の軸孔３１に下方への吸引力を作用させる。その後アクチュエータ１５の駆動でシャッターカッター１１が閉じ、ボビン２からサクションパイプ１に吸引されている糸端Ｙが切断されると共に、サクションエアＡが遮断されて、切断された糸端Ｙがボビン２の軸孔３１内に入って、口出し成功の状態となる。
【００１２】
この口出しの過程で、筒体８がボビン２を囲んで糸層表面３に沿う気流ａが形成されると、図２に示したように、アダプタ９の内周壁９ａに形成された凹部５によって、軸方向上方へと向かう気流ａが乱され、半径方向外方への成分が生じて、糸絡みのような引き出しにくい糸端Ｙでも糸層表面３から解離されやすくなり、口出しの成功率を上げることができる。通常口出しの成功率を高めるためには、サクションエアＡをより強くするか、アタプタ９の内径を縮径することが考えられ、例えば隙間ｓが5mm のときに成功率が45％であったときに、ｓ＝2.5mm に変更することで成功率を67％程度にまで高めることができるが、隙間ｓを小さくすると筒体８の昇降の際にアダプタ９が糸層表面３に接触して痛めるおそれも生じてくる。本発明によれば、アダプタ９を同じ形状に、例えば隙間ｓを5mm のままにして凹部５を設けるだけで、成功率を72％程度にまで高めることができる。すなわちボビン２を一回停止させるだけで効率よく口出しを行う口出し装置において、ボビン２と気流制御部材４との隙間ｓを変えることなく、口出しの成功率を向上させることができる。そして簡単な構成であり、部品点数の増加などがなく、極めて汎用性に富む。なお凹部５を成形するには、アダプタ９の内周壁９ａの高さ方向略中央の箇所を窪ませる加工のほかに、内周壁９ａの高さ方向上下の位置を突出させて実質的に凹部を区画形成するようにしてもよい。
【００１３】
次に図４は、前述の技術を前提とした本発明の第一の実施の形態を示したもので、前記した凹部５に、ボビン２の糸層表面３にブラスト流を与えるためのブラストノズル４１が設けられている。このブラストノズル４１は、アダプタ９の外周部に形成されたエア室４２と、エア室４２と凹部５とを連通させる噴射孔４３と、エア室４２に圧気を供給すべく口金具４４を介して筒体８に取り付けられたエアホース４５とにより構成されている。エア室４２は凹部５と同じレベルで同心状に形成され、口金具４４の位置に形成された筒体８の穴４６によってエアホース４５と連通している。噴射孔４３は、ボビン２の糸層表面３に対して平面視で略接線方向に形成され、糸端Ｙが解舒される方向の旋回流４７を形成するようになっている。なお方向の異なる噴射孔４３を上下二段に設けて、いずれか一方に圧気を供給するようにし、Ｚ撚及びＳ撚のいずれのボビン２にも対応できるようにしてもよい。また噴射孔としては半径方向に延びたものとしてもよく、側方からみて上方に又は下方に傾いたものとしてもよい。エアホース４５は、圧気供給源（ポンプ、レギュレータなど）４８に連結され、電磁弁４９により開閉される。すなわち筒体８が下降して、例えば筒体８の下端がボビン２のチェス部にかかるような適宜なタイミングで電磁弁４９が開にされると、圧気がエア室４２から噴射孔４３を通って糸層表面３に吹き付けられるようになっている。
【００１４】
このように構成することで、ブラストノズル４１からのブラストエアは、凹部５に沿う強い旋回流４７となって糸層表面３に作用し、凹部５による糸層表面３に沿う上方への気流ａの乱れと相俟って、さらに糸端Ｙを解離させる力を大きくすることができる。例えば同じ内径のアダプタ９の口出し成功率が約45％であったのを、同じ隙間ｓ（＝5mm ）で90％以上にまで高めることができる。
【００１５】
また図５は、本発明の第二の実施の形態を示したもので、アダプタ９に設けられた凹部５の気流上流側である下側に、ブラストノズル５１が設けられて構成されている。すなわちアダプタ９の内周壁９ａには凹部５とブラストノズル５１の凹溝５２とが軸方向に近接して並設されている。ブラストノズル５１は、前記第一の実施の形態と同様に、凹溝５２の外周部に設けられたエア室４２、エア室４２と凹溝５２とを連通させる噴射孔４３、口金具４４により筒体８に取り付けられたエアホース４５とで構成されている。
【００１６】
このように構成することによって、ブラストノズル５１によるブラストエアがボビン２の糸層表面３に作用すると共に、このブラストエアとサクションエアＡによる糸層表面３に沿う気流ａとが、凹部５によって乱されて、半径方向に糸端Ｙを引き出す力となる。すなわち前記した第一の実施の形態のものに、さらに凹部５を設けた構成となり、より一層の口出し成功率の向上が達成される。
【００１７】
なお凹部５及びブラストノズル４１，５１は、これらを適宜組み合わせて三段以上の多段に設けるようにしてもよい。また本発明の乱流生成部は、以上の実施の形態で示した凹部に限るものではなく、凸部であってもよい。また凹凸の組み合わせであってもよく、要するにボビンの糸層表面に沿う気流を乱すものであればよい。
【００１８】
【発明の効果】
以上要するに本発明に係る口出し装置によれば、口出し成功率を高めることができる。
【図面の簡単な説明】
【図１】  本発明の前提となる形態を示した図であり、（ａ）は側面図、（ｂ）は平面図である。
【図２】  図１の凹部の作用を説明するための断面図である。
【図３】  図１の全体を示した側面図である。
【図４】  本発明の第一の実施の形態を示した図であり、（ａ）は側面図、（ｂ）は平面図である。
【図５】  本発明の第二の実施の形態を示した側面図である。
【符号の説明】
１  サクションパイプ（気流発生手段）
２  ボビン
３  糸層表面
４  気流制御部材
５  凹部（乱流生成部）
８  筒体
９  アダプタ
４１，５１  ブラストノズル
ａ  糸層表面に沿う（上昇）気流
Ａ  サクションエア
Ｙ  糸端
【図１】
0003820638.tif 000002
【図２】
0003820638.tif 000003
【図３】
0003820638.tif 000004
【図４】
0003820638.tif 000005
【図５】
0003820638.tif 000006